(57)【要約】【課題】移動体での利用度が高いＦＭデータ放送用チューナにおいて、受信状態の劣化時に代替局への切り換えを行う場合、代替局として必ずしも十分に好適な受信状態の放送局が選ばれるとは限らない。【解決手段】受信電界強度サーチ動作により、受信対象帯域内の各放送チャンネルについて、Ｓメータ回路９８により受信電界強度を検知し、各放送チャンネルでの受信電界強度を表す受信電界強度リストＣＩを取得する。受信電界強度リストＣＩはメモリ５６に記憶する。受信電界強度リストＣＩは受信動作中に適宜更新する。代替局を選択する際には、受信電界強度リストＣＩに基づいて、相互変調等の妨害の発生を推測し、妨害が生じない放送局を選択したり、推測される妨害の種類に応じてＡＧＣ感度やＲＦ増幅回路７２のゲイン等を好適に設定する。【選択図】図１
2009152873.tif 000002
【特許請求の範囲】
【請求項１】
ＦＭデータ放送を受信するＦＭデータ放送用チューナであって、
受信電界強度を検知する受信電界強度検知回路と、
受信対象帯域内に設定される複数の放送チャンネルについて、前記受信電界強度検知回路により前記受信電界強度を検知し、前記各放送チャンネルでの前記受信電界強度を表す受信電界強度リストを取得する受信電界強度サーチ手段と、
前記受信電界強度リストを記憶する記憶部と、
放送を受信開始後、所定のタイミングで反復して前記受信電界強度サーチ手段を起動し、前記記憶部に記憶される前記受信電界強度リストを更新する受信電界強度リスト更新部と、
現在の受信放送局の受信状態が劣化した場合に、前記受信電界強度リストに基づいて代替放送局を選択する自動選局部と、
を有することを特徴とするＦＭデータ放送用チューナ。
【請求項２】
請求項１に記載のＦＭデータ放送用チューナにおいて、
前記自動選局部は、前記受信電界強度リストに基づいて受信妨害の有無を推測し、前記受信妨害が無いと推測される放送局を優先的に前記代替候補局として選択すること、を特徴とするＦＭデータ放送用チューナ。
【請求項３】
請求項２に記載のＦＭデータ放送用チューナにおいて、
前記自動選局部は、前記受信妨害として相互変調妨害の有無について推測すること、を特徴とするＦＭデータ放送用チューナ。
【請求項４】
請求項２に記載のＦＭデータ放送用チューナにおいて、
前記自動選局部は、前記受信妨害として感度抑圧妨害の有無について推測すること、を特徴とするＦＭデータ放送用チューナ。
【請求項５】
請求項２に記載のＦＭデータ放送用チューナにおいて、
前記放送局からの受信信号に対する増幅手段と、
前記増幅手段のゲインを制御するゲイン制御手段と、
を有し、
前記ゲイン制御手段は、前記自動選局部による前記代替候補局についての前記受信妨害の推測結果に応じて前記ゲインを制御すること、
を特徴とするＦＭデータ放送用チューナ。
【請求項６】
請求項５に記載のＦＭデータ放送用チューナにおいて、
前記増幅手段として、前記受信信号を増幅する高周波増幅器を有し、
前記ゲイン制御手段は、前記代替候補局について前記相互変調妨害の発生が推測される場合には、前記高周波増幅器のゲインを前記受信妨害の発生が推測されない非妨害時よりも低下させること、
を特徴とするＦＭデータ放送用チューナ。
【請求項７】
請求項５に記載のＦＭデータ放送用チューナにおいて、
前記増幅手段として、前記受信信号を増幅する高周波増幅器を有し、
前記ゲイン制御手段として、前記高周波増幅器の出力側での前記受信信号の強度に応じたＡＧＣ電圧を生成し、前記ＡＧＣ電圧がＡＧＣ開始レベルから超過した量に応じて前記高周波増幅器のゲインを低下させるＡＧＣ回路を有し、
前記ＡＧＣ回路は、前記代替候補局について前記相互変調妨害の発生が推測される場合には、前記ＡＧＣ開始レベルにより定まるＡＧＣ感度を前記非妨害時よりも高く設定すること、
を特徴とするＦＭデータ放送用チューナ。
【請求項８】
請求項５に記載のＦＭデータ放送用チューナにおいて、
前記増幅手段として、前記受信信号を増幅する高周波増幅器を有し、
前記ゲイン制御手段として、前記高周波増幅器の出力側での前記受信信号の強度に応じたＡＧＣ電圧を生成し、前記ＡＧＣ電圧がＡＧＣ開始レベルから超過した量に応じて前記高周波増幅器のゲインを低下させるＡＧＣ回路を有し、
前記ＡＧＣ回路は、前記代替候補局について前記感度抑圧妨害の発生が推測される場合には、前記ＡＧＣ開始レベルにより定まるＡＧＣ感度を前記非妨害時と同等以下に設定すること、
を特徴とするＦＭデータ放送用チューナ。
【請求項９】
請求項５に記載のＦＭデータ放送用チューナにおいて、
前記増幅手段として、前記受信信号と局部発振信号とを混合して前記受信信号を所定の中間周波数に変換すると共に、増幅機能を備えた混合器を有し、
前記ゲイン制御手段は、前記代替候補局について前記相互変調妨害の発生が推測される場合には、前記混合器のゲインを前記受信妨害の発生が推測されない非妨害時よりも低下させることにより前記混合器のダイナミックレンジを拡大させること、
を特徴とするＦＭデータ放送用チューナ。
【請求項１０】
請求項１から請求項９のいずれか１つに記載のＦＭデータ放送用チューナにおいて、
前記受信電界強度サーチ手段は、現在の受信位置に対応した放送エリアを有する現地放送局について前記放送チャンネルの情報を外部から取得し、前記現地放送局の前記放送チャンネルについて選択的に前記受信電界強度を検知すること、
を特徴とするＦＭデータ放送用チューナ。
【発明の詳細な説明】
【技術分野】
【０００１】
本発明は、ＲＤＳ（Radio Data System）やＶＩＣＳ（Vehicle Information and Communication System）などのＦＭデータ放送の受信に用いるＦＭデータ放送用チューナに関する。
【背景技術】
【０００２】
ＦＭデータ放送は、日本にてＶＩＣＳ放送が行われており、２００８年には中国でも放送が開始される。また、ヨーロッパではＲＤＳが普及している。近年、ナビゲーションの普及により、これらのデータ放送に対して、専用のＦＭチューナが求められている。
【０００３】
ＦＭ放送は、比較的広い周波数帯域を必要とし、周波数レンジは比較的狭いので、放送チャンネル（放送周波数）の数が増加するに応じて受信目的チャンネルに対する近傍チャンネルからの妨害の問題等が生じやすい。
【０００４】
例えば、妨害として、相互変調、感度抑圧、隣接妨害といった現象が知られている。相互変調は、増幅回路などが非線形の特性を持つときに、本来含まないはずの周波数成分を持った信号が出力される現象である。例えば、周波数ｆ１，ｆ２の２つの電波を増幅回路に入力すると、その出力にはｆ１，ｆ２の他に、相互変調によりｎ・ｆ１±ｍ・ｆ２（ｎ，ｍは整数）の周波数成分が含まれることになる。例えば、周波数ｆＲの受信目的チャンネルに近接する周波数ｆ１，ｆ２の２つのチャンネル（チャンネル間隔をΔとして、ｆ１≡ｆＲ＋Δ，ｆ２≡ｆＲ＋２Δとする）に送信波が存在すると、ｆＲと同じ周波数（２ｆ１−ｆＲ）の相互変調波が生じ得る。そのため、これらｆ１，ｆ２の送信波が強力であると、その相互変調波が受信目的チャンネルに混信し妨害を与え得る。
【０００５】
この相互変調妨害は、ＲＦ信号に対する自動利得制御（ＡＧＣ：Auto Gain Control）により軽減を図ることができる。すなわち、周波数ｆ１，ｆ２等の近傍チャンネルの受信信号（妨害信号）が強力である場合に、ＡＧＣが動作して、それら妨害信号の強度を低下させることにより、相互変調波を低減させることができる。
【０００６】
また、相互変調波が受信目的チャンネルに混信しない場合であっても、放送バンド内のチャンネルに強力な妨害信号が存在すると、ＡＧＣが動作し、受信目的チャンネルの受信信号の強度も低減され感度が低下し得る。これが感度抑圧と呼ばれる受信妨害である。
【０００７】
さらに、近傍チャンネルの信号がＡＧＣが動作するほど強力でなくても受信目的チャンネルの受信信号より強ければ、当該受信信号に対して支配的な影響を及ぼす隣接妨害が生じ得る。
【０００８】
これら妨害を受けると受信特性が劣化する。この点、データ放送では現在受信中の放送局以外の放送局でも代替可能なデータ放送を行っている場合があり、他局への代替を行うことで受信状態の改善を図ることができる。
【０００９】
例えば、ＲＤＳでは同一内容のデータ放送を行う放送局が設けられる。そして、それらデータ放送の内容が同一の放送局のうち、受信状態が良好なものを自動的に選択するＡＦサーチが行われる。
【特許文献１】特開２００３−２１８７１１号公報
【特許文献２】特開平１０−２８５０６２号公報
【発明の開示】
【発明が解決しようとする課題】
【００１０】
移動体での利用度が高いＦＭデータ放送では、移動に応じて受信状態が変化する。これに対応して、ＦＭデータ放送用チューナでは代替局への切り換えが行われるが、従来は、代替局の選択は、基本的に放送チャンネルを順番に切り換えて、その受信信号に基づいて放送内容の面での代替可能性の有無や受信状態を判定するサーチを行い、判定基準を一応満たす放送局が見つかればサーチを中止し、当該放送局を代替局とするという方法で行われている。
【００１１】
この方法では、代替局により実現される受信状態が必ずしも十分に好適であるとは限らないという問題があった。例えば、まだサーチされていない範囲内に代替局としてより好適な放送局が存在する可能性がある。さらに、代替局の受信信号が他の局からの妨害を受けている場合に、当該妨害に対してチューナを適切に設定することについて十分に配慮されておらず、そもそも、チューナを適切な設定とすることは、移動に応じて受信状態が変化する状況下では難しい。
【００１２】
本発明は上記問題点を解決するためになされたものであり、好適な受信状態を維持可能なＦＭデータ放送用チューナを提供することを目的とする。
【課題を解決するための手段】
【００１３】
本発明に係るＦＭデータ放送用チューナは、受信電界強度を検知する受信電界強度検知回路と、受信対象帯域内に設定される複数の放送チャンネルについて、前記受信電界強度検知回路により前記受信電界強度を検知し、前記各放送チャンネルでの前記受信電界強度を表す受信電界強度リストを取得する受信電界強度サーチ手段と、前記受信電界強度リストを記憶する記憶部と、放送を受信開始後、所定のタイミングで反復して前記受信電界強度サーチ手段を起動し、前記記憶部に記憶される前記受信電界強度リストを更新する受信電界強度リスト更新部と、現在の受信放送局の受信状態が劣化した場合に、前記受信電界強度リストに基づいて代替放送局を選択する自動選局部と、を有する。
【発明の効果】
【００１４】
本発明によれば、代替放送局を選択する必要が生じた際に、受信対象帯域内の各放送チャンネルでの信号強度の情報（受信電界強度リスト）が予め得られている。この受信電界強度リストは繰り返し更新され、例えば、移動体で利用されるＦＭデータ放送用チューナの移動に応じた電波状態の変化を反映可能である。この受信電界強度リストに基づいて、例えば、注目するチャンネルにおける受信妨害の発生について推測がなされる。受信妨害の発生が推測される放送局以外の放送局を優先的に代替放送局として選択したり、代替放送局について推測される妨害の種類に応じて増幅手段のゲイン制御を行うことにより受信妨害を軽減することが可能となる。すなわち、本発明に係るＦＭデータ放送用チューナによれば、好適な受信状態の維持が図られる。
【発明を実施するための最良の形態】
【００１５】
以下、本発明の実施の形態（以下実施形態という）について、図面に基づいて説明する。
【００１６】
図１は実施形態に係るＦＭデータ放送用チューナの概略のブロック構成図である。本ＦＭデータ放送用チューナ５０は、ＦＭ信号処理部５２と、当該ＦＭ信号処理部５２の動作を制御する制御部５４と、メモリ５６と、それらの間の通信を可能とするシステムバス５８とを含んで構成され、アンテナ６０で受信されたＲＦ信号ＳＲＦ０から放送データを再生する。ＦＭ信号処理部５２の主要部はＩＣ化される。制御部５４は、マイクロコンピュータで構成することができる。
【００１７】
ＦＭ信号処理部５２は、アンテナ同調回路６８、ダンピング回路７０、ＲＦ増幅回路７２、ＲＦ同調回路７４、局部発振部７６、混合回路７８、ＩＦＢＰＦ８０、リミッタアンプ８２、ＦＭ検波回路８４、放送データデコーダ８６、広帯域ＡＧＣ回路９０、狭帯域ＡＧＣ回路９２、ＡＧＣドライバ回路９４、ダンピング制御回路９６、Ｓメータ回路９８、及び局検出回路１００を含んで構成される。
【００１８】
ＲＦ信号ＳＲＦ０はアンテナ６０からアンテナ同調回路６８及びダンピング回路７０を介してＲＦ増幅回路７２に入力される。
【００１９】
ダンピング回路７０は、受信電界強度が所定値を超えた場合に、ＲＦ増幅回路７２への入力信号をダンピングする回路である。後述するダンピング制御回路９６の出力信号により、ダンピング回路７０中のＰＩＮダイオード７０ａ及び７０ｂに電流が流されると、ダンピング回路７０はオンする。ＰＩＮダイオード７０ａのカソードは接地され、一方、アノードは、ＰＩＮダイオード７０ｂを介してダンピング制御回路９６の出力端に接続されると共に、キャパシタ７０ｃを介してアンテナ同調回路６８からＲＦ増幅回路７２への受信信号ラインに接続される。ＰＩＮダイオード７０ａ及び７０ｂに電流が流れると、ＰＩＮダイオード７０ａの抵抗値が小さくなり、上記受信信号ラインがキャパシタ７０ｃ及びＰＩＮダイオード７０ａを介して交流的に接地される。ダンピング回路７０のオンにより、アンテナ同調回路６８の出力ＲＦ信号ＳＲＦ１の一部がアースに流れるため、ＲＦ増幅回路７２の入力信号レベルが低減される。
【００２０】
ＲＦ増幅回路７２は、低ノイズアンプ（Low Noise Amplifier：ＬＮＡ）を用いて構成され、アンテナ同調回路６８にて抽出されたＲＦ信号ＳＲＦ１を増幅する。ＲＦ増幅回路７２のゲインは後述するようにＡＧＣドライバ回路９４により受信電界強度に基づいて自動的に制御されると共に、制御部５４から制御できるように構成される。
【００２１】
ＲＦ同調回路７４は、ＲＦ信号ＳＲＦ１から、搬送波周波数ｆＲを有する目的放送局を含むさらに狭い帯域のＲＦ信号ＳＲＦを抽出する同調処理を行う。ＲＦ同調回路７４における同調周波数は、システムバス５８を介して制御部５４により制御される。
【００２２】
ＲＦ同調回路７４で抽出されたＲＦ信号ＳＲＦ２は混合回路７８に入力される。混合回路７８は、入力されたＲＦ信号ＳＲＦ２を、局部発振部７６から入力される局部発振信号ＳＬＯと混合して、中間信号ＳＩＦを生成する。制御部５４は同調周波数に対応してＳＬＯの周波数ｆＬＯを設定する。ＳＬＯの周波数ｆＬＯは、ＳＲＦ２に含まれる目的放送局の信号の搬送波周波数ｆＲが混合回路７８によるＳＩＦへの周波数変換にて所定の中間周波数（Intermediate Frequency：ＩＦ）ｆＩＦに変換されるように調整される。中間周波数ｆＩＦは、例えば、１０．７ＭＨｚに設定される。また、混合回路７８は、制御部５４の制御に基づいて変換ゲインを低減させ、ＳＩＦのゲイン調整を行う機能を備えている。
【００２３】
ＳＩＦは、ＩＦＢＰＦ８０に入力される。ＩＦＢＰＦ８０は、ｆＩＦを中心周波数とし、かつ通過帯域幅ＷＦを可変設定できるバンドパスフィルタである。ＩＦＢＰＦ８０から出力されたＳＩＦは、リミッタアンプ８２に入力される。リミッタアンプ８２は、ＦＭ信号であるＳＩＦの振幅を増幅して矩形波とし、ＦＭ信号にのったノイズを除去する。リミッタアンプ８２で増幅され矩形波とされたＳＩＦは、ＦＭ検波回路８４に入力される。ＦＭ検波回路８４は、リミッタアンプ８２の出力信号をＦＭ検波し、検波出力信号を出力する。放送データデコーダ８６は、検波出力信号に含まれている放送データをデコードし、制御部５４へ出力する。
【００２４】
広帯域ＡＧＣ回路９０は、ＲＦ同調回路７４の出力信号ＳＲＦ２を入力され、狭帯域ＡＧＣ回路９２は、ＩＦＢＰＦ８０の出力信号ＳＩＦを入力される。各ＡＧＣ回路９０，９２はそれぞれ入力された信号をピーク検波し、さらに平滑してＡＧＣ電圧ＶＷ−ＡＧＣ，ＶＮ−ＡＧＣを生成する。広帯域ＡＧＣ回路９０、狭帯域ＡＧＣ回路９２は、ＳＲＦ２やＳＩＦの信号強度がＡＧＣ開始レベルを超えると、その超過量に応じた大きさのＶＷ−ＡＧＣ，ＶＮ−ＡＧＣを生成する。そして、それらＶＷ−ＡＧＣ，ＶＮ−ＡＧＣは合成されてＡＧＣドライバ回路９４に入力される。ＡＧＣドライバ回路９４は入力されたＡＧＣ電圧に基づいてＲＦ増幅回路７２のゲインを制御する。具体的には、ＡＧＣドライバ回路９４へ入力されるＡＧＣ電圧は、基本的に、ＶＷ−ＡＧＣ，ＶＮ−ＡＧＣのうち大きい方の電圧値となる。ＡＧＣドライバ回路９４は、ＲＦ増幅回路７２のゲインに対する制御信号ＶＲＦ−ＡＧＣを当該入力ＡＧＣ電圧に応じて生成し、ＡＧＣ電圧が大きいほどＲＦ増幅回路７２のゲインを下げるように動作する。
【００２５】
ここで、ＶＷ−ＡＧＣ，ＶＮ−ＡＧＣは、ＲＦ同調回路７４、ＩＦＢＰＦ８０の通過帯域特性に応じた周波数依存性を有し、一般には、ＲＦ同調回路７４やＩＦＢＰＦ８０に入力される信号の周波数が通過帯域の中心周波数から離れるに従って、ＡＧＣ電圧は低下する傾向を示す。これに対応して、ＡＧＣ感度も周波数依存性を生じる。ここで、ＡＧＣ感度とＡＧＣ開始レベルとは対応しており、ＡＧＣ開始レベルが低いほど、ＡＧＣ感度が高くなる。
【００２６】
図２は、ＡＧＣ感度（ＡＧＣ開始レベル）の周波数依存性を示す模式的なグラフであり、横軸が周波数、縦軸がＡＧＣ開始レベルを表している。広帯域ＡＧＣ回路９０のＡＧＣ感度特性１１０に関しては目的放送局の周波数ｆＲが、また狭帯域ＡＧＣ回路９２のＡＧＣ感度特性１１２に関しては中間周波数ｆＩＦが、それぞれ中心周波数ｆ０に対応する。ＡＧＣ感度特性１１０，１１２はいずれも中心周波数ｆ０にてＡＧＣ開始レベルが極小（ＡＧＣ感度が極大）となる。一方、ｆ０から離れるに従ってＡＧＣ開始レベルは上昇し、ＡＧＣ感度が低下する。このＡＧＣ開始レベルの上昇は、ＡＧＣ感度特性１１０よりＡＧＣ感度特性１１２の方が急である。これは、ＩＦＢＰＦ８０の通過帯域幅がＲＦ同調回路７４より狭いという相違に対応している。
【００２７】
ここで、図２に示すように、目的受信局の受信信号に対応する周波数ｆ０を中心として、±Δｆの範囲内で、狭帯域ＡＧＣ回路９２のＡＧＣ開始レベルを広帯域ＡＧＣ回路９０より低くし（すなわち、ＡＧＣ感度を高くし）、一方、±Δｆの範囲外では反対に、広帯域ＡＧＣ回路９０のＡＧＣ開始レベルを狭帯域ＡＧＣ回路９２より低くするように設定することができる。このように設定すると、±Δｆの範囲内では、ＶＷ−ＡＧＣ＜ＶＮ−ＡＧＣとなり、範囲外ではＶＷ−ＡＧＣ＞ＶＮ−ＡＧＣとなり、またＡＧＣドライバ回路９４への入力ＡＧＣ電圧は、±Δｆの範囲外より範囲内で大きくなる。Δｆは、目的放送局に対する妨害を強く与え得る近傍チャンネルが±Δｆの範囲内に含まれるように設定することができる。こうすることで、近傍チャンネルに存在する妨害信号に対してはＶＮ−ＡＧＣに基づいてＡＧＣ動作を行い、妨害信号を大きく減衰させることができる。一方、目的放送局から離れたチャンネルに対してはＶＷ−ＡＧＣに基づいてＡＧＣ動作を行い、比較的緩やかなゲイン抑制とすることができる。
【００２８】
次に、ダンピング制御回路９６は、ＡＧＣドライバ回路９４の出力電圧ＶＲＦ−ＡＧＣを入力される。ダンピング制御回路９６は、ＡＧＣ動作が開始されない状態でのＶＲＦ−ＡＧＣより低い電圧の基準電圧ｖＲＥＦと、入力されたＶＲＦ−ＡＧＣとを比較し、ＶＲＦ−ＡＧＣがｖＲＥＦより低下すると、ＰＩＮダイオード７０ｂへ電流を出力してダンピング回路７０を動作させる。ｖＲＥＦは、受信信号の強度が大きくなりＡＧＣ動作が開始される点で、ダンピング制御回路９６が動作するように設定される。
【００２９】
Ｓメータ回路９８は、直列に接続された複数段のアンプで構成されるリミッタアンプ８２の各段の出力信号に基づいてＳＩＦをピーク検波し、ＳＩＦに含まれる変動成分信号ＳＭ−ＡＣを生成すると共に、当該変動成分をＬＰＦで平滑化して受信電界強度信号ＳＭ−ＤＣを生成する。受信電界強度信号ＳＭ−ＤＣは制御部５４に入力されると共に、局検出回路１００に入力される。
【００３０】
局検出回路１００は、ＳＭ−ＤＣを所定の基準値と比較して放送局の有無を検出し、検出結果を制御部５４へ出力する。
【００３１】
制御部５４は、ＦＭ信号処理部５２の各部の動作を制御する。例えば、既に述べたように、ＲＦ同調回路７４や局部発振部７６を制御して選局を行う。さらに、制御部５４は、複数の放送局のうち好適な受信が可能なものを自動的に選局する。この自動選局については後述する。
【００３２】
その前に、本ＦＭデータ放送用チューナ５０における受信電界強度の取得動作について説明する。図３は、Ｓメータ回路９８により生成される受信電界強度信号ＳＭ−ＤＣの特性を説明する模式的なグラフである。同図において縦軸がＳメータ回路９８の出力ＳＭ−ＤＣの電圧値であり、横軸が受信電界強度である。特性曲線１２０がＳメータ回路９８の本来の特性を表しており、受信電界強度が０〜６０ｄＢμＶの間、ＳＭ−ＤＣは直線的に変化し、６０ｄＢμＶ以上ではＳＭ−ＤＣは飽和してフラットな特性となる。すなわち、Ｓメータ回路９８自体は、６０ｄＢμＶまで受信電界強度を良好に検出することができる機能を有する。本ＦＭデータ放送用チューナ５０ではダンピング回路７０を備えており、ダンピング回路７０の減衰量は例えば４０ｄＢである。よって、ダンピング回路７０により受信ＲＦ信号が減衰される場合のＳＭ−ＤＣの特性曲線１２２は、特性曲線１２０を４０ｄＢμだけ高電界強度側へシフトしたものとなり、Ｓメータ回路９８を用いて受信電界強度を４０〜１００ｄＢμＶまで良好に検出することができる。すなわち、受信信号のダンピングを行うことで、Ｓメータ回路９８を用いて、６０ｄＢμＶを超える受信電界強度を計測することができる。ちなみに、ダンピング回路７０は、基本的には、上述のようにＡＧＣ動作開始に連動して起動し、６０ｄＢμＶ付近で動作するように設定されている。また、制御部５４からＡＧＣドライバ回路９４又はダンピング制御回路９６を制御することにより、強制的にダンピング回路７０を動作させることも可能に構成されている。
【００３３】
ＡＧＣの動作について説明する。図４は、ＡＧＣのゲイン特性を模式的に示すグラフである。同図において縦軸がＲＦ増幅回路７２のゲインに対する制御信号ＶＲＦ−ＡＧＣ、横軸が受信電界強度を表している。ＶＲＦ−ＡＧＣは、ＡＧＣ動作の開始点Ｐ１まではｖＲＦ−ＭＡＸに維持され、ゲインを高い値に維持する。例えば、通常時は特性曲線１３０に示すように、受信電界強度がＰ１に対応する６０ｄＢμＶになるまではＶＲＦ−ＡＧＣはｖＲＦ−ＭＡＸに維持される。受信電界強度が大きくなりＡＧＣ動作が行われる領域に達すると、ＶＲＦ−ＡＧＣは減少し始める。ＶＲＦ−ＡＧＣが減少してｖＲＥＦを下回るとダンピング回路７０が動作を開始する（点Ｐ２）。ダンピング回路７０が動作している受信電界強度の範囲（例えば幅４０ｄＢμＶ）では、基本的にＶＲＦ−ＡＧＣは同じレベルに維持される。ダンピング回路７０の動作範囲の上限の受信電界強度（点Ｐ３）を超えると、ＲＦ増幅回路７２への入力ＲＦ信号の強度は再び増加し始め、これに対応してＶＲＦ−ＡＧＣは減少し、ＲＦ増幅回路７２のゲインを低減させる。
【００３４】
なお、制御部５４はＡＧＣ開始レベル（すなわちＡＧＣ感度）を調整可能に構成される。例えば、ＡＧＣ開始レベルを低下させた（すなわちＡＧＣ感度を高めた）場合の特性曲線１３２は、特性曲線１３０を低電界強度側へシフトさせたものとなる。特性曲線１３２によるＡＧＣは特性曲線１３０によるＡＧＣより効きがよくなる、すなわち、強受信電界強度の放送局に対する減衰が強くなる。
【００３５】
次に、ＦＭデータ放送用チューナ５０の自動選局動作について説明する。ここでは、ＦＭデータ放送用チューナ５０をＲＤＳチューナとした場合を例に説明する。ＲＤＳチューナは、ＡＦサーチという機能を有している。このＡＦサーチとは、例えば、自動車で移動しながら放送を受信している場合、現在受信中の放送局の電界強度が低下すると、同じ番組を行っている他の放送局を探し出し、その放送局が所定値以上の電界強度を有するとき、その放送局を自動的に選局するという機能である。
【００３６】
この自動選局に関連して、制御部５４は、受信対象帯域内に設定される全放送チャンネルについてシークサーチを行い、各チャンネルについてＳメータ回路９８の出力信号ＳＭ−ＤＣにより受信電界強度信号を検知し、各チャンネルでの受信電界強度を表す受信電界強度リストＣＩを取得し、当該受信電界強度リストＣＩをメモリ５６に格納する受信電界強度サーチ機能を有している。
【００３７】
受信電界強度サーチでは、制御部５４は局部発振部７６を制御して、例えば、受信チャンネルを受信対象帯域の一方から他方へ向けてシークする。局検出回路１００により受信チャンネルに放送局が検出されると、制御部５４は、Ｓメータ回路９８の出力ＳＭ−ＤＣに基づき当該受信チャンネルでの受信電界強度を取得する。ちなみに、局検出回路１００の検出感度は２０〜３０ｄＢμＶに設定することができる。
【００３８】
ここで、強電界の受信信号についても正確にその強度を得ることが好ましい。そこで、制御部５４は、上述したダンピングを行うことによりＳメータ回路９８で例えば１００ｄＢμＶまでの強電界の測定が可能となることを利用する。具体的には、制御部５４は、高感度モード（ＤＸモード）での受信電界強度の測定と、低感度モード（ＬＯモード）での受信電界強度の測定とを必要に応じて切り換える。高感度モードでは、制御部５４は、ダンピング回路７０が起動しないように制御し、その状態での信号ＳＭ−ＤＣをＡ／Ｄ変換して高感度データＤＤＸを取得する。これにより、例えば６０ｄＢμＶまでの測定が行われる。一方、低感度モードでは、制御部５４は、ダンピング回路７０を強制的に起動させ、その状態での信号ＳＭ−ＤＣをＡ／Ｄ変換して低感度データＤＬＯを取得する。これにより例えば４０〜１００ｄＢμＶの範囲の受信電界強度の測定が行われる。
【００３９】
例えば、制御部５４は、シーク動作では高感度モードに設定し、このシーク動作で検出された放送局について高感度モードでＤＤＸを測定する。そして、ＤＤＸがＳＭ−ＤＣの飽和レベルに対応する値やそれに近い値であった場合には、低感度モードに切り換えて当該放送局についてＤＬＯを測定する。制御部５４は、当該放送局についての周波数及び、ＤＤＸ，ＤＬＯを対応付けてメモリ５６に格納する。シーク動作が途中である場合は、高感度モードに設定してシーク動作を継続し、一方、受信対象帯域の端まで到達した場合、受信電界強度サーチは完了する。
【００４０】
図５は、ＦＭデータ放送用チューナ５０の受信動作を説明する概略のフロー図である。受信開始すると、制御部５４は目的放送局をシークする（Ｓ１４０）。受信開始時の目的放送局は例えば、ユーザによって選択される。放送局から放送されているデータを受信する場合には（Ｓ１４２の「Ｙ」分岐）、ＦＭ信号処理部５２は設定された条件でダンピングやＡＧＣを動作させて受信信号を取得し、受信信号から放送データを抽出する（Ｓ１４４）。一方、データの受信動作に空き時間が生じた場合には（Ｓ１４２の「Ｎ」分岐）、制御部５４は上述の受信電界強度サーチを行う（Ｓ１４６）。制御部５４はＳメータ回路９８からの受信電界強度信号ＳＭ−ＤＣや、図１に図示しないセンサ回路等に基づいて受信状態を監視し（Ｓ１４８）、その劣化が検知されない間は（Ｓ１４８の「Ｎ」分岐）、現在の放送局からに同調した状態を継続し、処理Ｓ１４２，Ｓ１４４，Ｓ１４６を行う。一方、基準値未満の弱電界状態となったり、隣接妨害が発生したといった受信状態の劣化が検知された場合には（Ｓ１４８の「Ｙ」分岐）、ＡＦサーチを行う（Ｓ１５０）。
【００４１】
本ＦＭデータ放送用チューナ５０のＡＦサーチでは、受信電界強度サーチで取得されメモリ５６に記憶されている受信電界強度リストＣＩを利用して代替放送局が選択され、さらに、当該放送局について推測される受信状態に応じてＦＭ信号処理部５２の調整が行われる。図６は、ＦＭデータ放送用チューナ５０のＡＦサーチの概略の処理フロー図である。制御部５４は、現在の放送局から受信しメモリ５６に記憶されている代替周波数リスト（ＡＦリスト）に基づいて、同じ放送内容の他の放送局を代替候補局として選択する（Ｓ１６０）。制御部５４は、選択した代替候補局について、上述した相互変調妨害、感度抑制、及び隣接妨害の有無を受信電界強度リストＣＩに基づいて推測する（Ｓ１６２，Ｓ１６４，Ｓ１６６）。
【００４２】
相互変調妨害の発生についての推測処理Ｓ１６２では、代替候補局の周波数ｆＲに対して例えば、ｆ１−ｆＲ＝ｆ２−ｆ１を満たす周波数ｆ１，ｆ２を有する他の放送局が存在し、それらが所定値以上の強い受信電界強度を有する場合に、制御部５４は相互変調が発生すると推測する。
【００４３】
また、感度抑圧の推測処理Ｓ１６４や隣接妨害の推測処理Ｓ１６６についても、制御部５４は受信電界強度リストＣＩから代替候補局の近傍周波数の他の放送局の受信電界強度を得て、これら妨害の発生の有無を推測することができる。
【００４４】
代替候補局についていずれの妨害も推測されない場合には、これを代替放送局として選択し、当該放送局を受信するように切り換え動作を行って（Ｓ１６８）、ＡＦサーチを終了する。ここで、切り換え動作は、局部発振部７６を制御して同調周波数を切り換える他に、ＦＭ信号処理部５２を妨害がない放送局の受信に適した状態に設定する処理を行うことができる。例えば、ＡＧＣ開始レベルを上げてＡＧＣの効きを抑制したり、ＲＦ増幅回路７２のゲインを高めに設定することで、目的放送局に対する感度を向上させることができる。
【００４５】
代替候補局についていずれかの妨害の発生が推測される場合には（Ｓ１６２，Ｓ１６４，Ｓ１６６それぞれの「Ｙ」分岐）、ＡＦリストにまだ代替候補局として選択されていない放送局があれば（Ｓ１７０，Ｓ１７２，Ｓ１７４それぞれの「Ｙ」分岐）、代替候補局を選び直して（Ｓ１６０）上述の処理を繰り返す。一方、現在の代替候補局がＡＦリスト中の最後の放送局である場合には、例えば、妨害が推測される現在の代替候補局を代替放送局として選択し、当該放送局を受信するように切り換え動作を行って（Ｓ１７６，Ｓ１７８，Ｓ１８０）、ＡＦサーチを終了する。ここで、切り換え動作は、局部発振部７６を制御して同調周波数を切り換える他に、推測される妨害の影響をできるだけ軽減し得るようにＦＭ信号処理部５２を調整する処理を行うことができる。
【００４６】
例えば、相互変調の発生が推測される場合の調整処理（Ｓ１７６）として、ＡＧＣ感度を上げる、すなわちＡＧＣ開始レベルを下げることが可能である。これにより妨害局の強力な受信信号を減衰し、混合回路７８での歪みの発生の抑制が図れる。また、ＲＦ増幅回路７２のゲインや混合回路７８のゲインを低めに設定することも好適である。
【００４７】
また、感度抑圧の発生が推測される場合の調整処理（Ｓ１７８）として、ＡＧＣ感度を下げる、すなわちＡＧＣ開始レベルを上げることが可能である。感度抑圧は、強力な妨害信号でＡＧＣが動作して目的放送局の受信信号まで減衰することが問題であるので、ＡＧＣ感度を下げてＡＧＣの効きを悪くすることで、感度抑圧の軽減を図ることができる。
【００４８】
なお、上述の代替放送局の選択処理では、妨害を受けていない代替候補局が存在しない場合には、妨害を受けている最後の代替候補局に切り換える構成としているが、他のアルゴリズムによる選択も可能である。例えば、妨害が推測された代替候補局全体の中から好適なものを選択し直すようにしてもよい。
【００４９】
上述の実施形態では、受信対象帯域内の全チャンネルについて受信電界強度を測定して受信電界強度リストを生成する構成を説明した。しかし、制御部５４は、外部の他の装置等から現在の受信位置に対応した放送エリアを有する現地放送局について放送チャンネルの情報を取得し、当該現地放送局の放送チャンネルについて選択的に受信電界強度を検知することもできる。これにより、受信電界強度サーチの所要時間の短縮が可能となる。例えば、カーナビゲーションシステムで利用されるマップ情報には、各地の放送局の放送チャンネルを示す情報が予め記憶されており、当該システムでは自動車等の移動先をＧＰＳ等を利用して検知し、当該移動先の情報を随時、記憶装置から読み出してユーザに提示することができる。ＦＭデータ放送用チューナ５０は、カーナビゲーションシステムとのインターフェースを設けて、移動先に応じて提供される情報のうち放送チャンネルの情報を取得して受信電界強度サーチに利用するように構成することができる。
【００５０】
受信電界強度サーチは、放送データの受信処理の合間を利用して行うが、各合間に必ず行わなければならないものではなく、受信電界強度リストＣＩが受信動作中に適宜更新される方法であればよい。
【図面の簡単な説明】
【００５１】
【図１】本発明の実施形態に係るＦＭデータ放送用チューナの概略のブロック構成図である。
【図２】ＡＧＣ感度（ＡＧＣ開始レベル）の周波数依存性を示す模式的なグラフである。
【図３】Ｓメータ回路により生成される受信電界強度信号ＳＭ−ＤＣの特性を説明する模式的なグラフである。
【図４】ＡＧＣのゲイン特性を模式的に示すグラフである。
【図５】ＦＭデータ放送用チューナの受信動作を説明する概略のフロー図である。
【図６】ＦＭデータ放送用チューナのＡＦサーチの概略の処理フロー図である。
【符号の説明】
【００５２】
５０  ＦＭデータ放送用チューナ、５２  ＦＭ信号処理部、５４  制御部、５６  メモリ、５８  システムバス、６０  アンテナ、６８  アンテナ同調回路、７０  ダンピング回路、７２  ＲＦ増幅回路、７４  ＲＦ同調回路、７６  局部発振部、７８  混合回路、８０  ＩＦＢＰＦ、８２  リミッタアンプ、８４  ＦＭ検波回路、８６  放送データデコーダ、９０  広帯域ＡＧＣ回路、９２  狭帯域ＡＧＣ回路、９４  ＡＧＣドライバ回路、９６  ダンピング制御回路、９８  Ｓメータ回路、１００  局検出回路。
【図１】
2009152873.tif 000003
【図２】
2009152873.tif 000004
【図３】
2009152873.tif 000005
【図４】
2009152873.tif 000006
【図５】
2009152873.tif 000007
【図６】
2009152873.tif 000008